(57)【要約】【課題】手旗の手旗信号で電話電磁制御装置を制御し、電話電磁制御盤で押す操作機構で発信、復帰させ、工事者に着信音を鳴らし、消音する手旗信号による電話電磁制御装置。【解決手段】警務者の手旗の手旗信号で電話電磁制御装置を制御し、電話電磁制御盤で発信釦を押す操作機構で発信し工事者の携帯電話の着信音を鳴らし、手旗の下げ動作で手旗信号で電話電磁制御装置を制御し、復帰釦を押す操作機構で復帰させ工事者の携帯電話の着信音を消音し、警務者の電話電磁制御盤と電話電磁制御装置で手旗信号待ちの手旗信号による電話電磁制御装置。【選択図】図１
2007088671.tif 000002
【特許請求の範囲】
【請求項１】
警務者の手旗の振り上げ動作の手旗信号で警務者の所持の携帯電話と電話電磁制御盤で電話電磁制御装置を制御させ、発信釦の位置の電磁ソレノイドを駆動させ発信釦を押す操作機構で発信釦で発信し、工事者の所持の携帯電話の着信音を鳴らし、手旗の振り下げ動作の手信号で警務者の所持の手旗信号で警務者の所持の携帯電話と電話電磁制御盤で電話電磁制御装置を制御して、復帰釦の位置の電磁ソレノイドを駆動させ復帰釦を押す操作機構で復帰釦で復帰させ、工事者の携帯電話の着信音を消音し、警務者の携帯電話と電話電磁制御盤で電話電磁制御装置が手旗信号待ちの手旗信号による電話電磁制御装置。
【発明の詳細な説明】
【技術分野】
【０００１】
本発明は、駅構内の軌道敷内の工事中に接近する車両で、工事者に車両が接近したと警務者が手旗を振り上げ知らせる手旗信号に関る。
【背景技術】
【０００２】
従来の鉄道工事に使う手旗はプラスック製のパイプに旗を組み合わせたもので、鉄道工事中に車両が接近したと警務者が手旗を振って知らせても工事の騒音等と、工事に集中していて車両と接触、人身事故が起きている現状である。
【発明の開示】
【発明が解決しようとする課題】
【０００３】
本発明は駅構内の軌道敷内の工事中に接近する車両で、工事者に車両が接近したと警務者が手旗を振り上げる位置に関らず、鉄道工事の駅構内の軌道敷内の騒音と、工事者の位置が相当離れていても警務者の手旗信号で確実に工事場所から工事者を退避させさせるようにする課題と、手旗信号で警務者が所持の電話電磁制御盤で発信釦或いは復帰釦の押す操作機構で発信或いは復帰させ工事者の所持の携帯電話の着信音を鳴らし、近傍の全員の工事者に着信音により車両が接近したことを知らせ、着信音を消音させ近傍の全員の工事者に車両が通過したことを知らせ工事に復帰させるようにする課題とし、次に来る車両に警務者の所持の携帯電話と電話電磁制御盤で電話電磁制御装置が手旗信号待ちにするようにしたものである。
【課題を解決するための手段】
【０００４】
本発明は警務者が手旗を振り上げ動作で手旗信号を警務者が所持の携帯電話の電話電磁制御盤と電話電磁制御装置で制御させ、電話電磁制御盤に携帯電話の発信釦の位置の電磁ソレノイドを駆動させ、発信釦を押す操作機構で発信釦を押して発信させ工事者の所持の携帯電話の着信音を鳴らし、近傍の工事者の全員に車両の接近を着信音により知らせることで課題を解決し、警務者の手旗を振り下げ動作で手旗信号で警務者が所持の携帯電話の電話電磁制御盤と電話電磁制御装置で制御させ、電話電磁制御盤の携帯電話の復帰釦の位置の電磁ソレノイドを駆動させ、押す操作機構で復帰釦を押して復帰させ工事者の所持の携帯電話の着信音を消音させて即効に工事場所にて工事に戻れることで課題を解決し、次に来る車両に警務者の携帯電話の電話電磁制御盤と電話電磁制御装置で手旗信号待ちとした手旗信号による電話電磁制御装置としたものである。
【発明の効果】
【０００５】
本発明は警務者が手旗を振り上げ動作で起動スイッチが入った手旗信号で警務者が所持の携帯電話の電話電磁制御盤と電話電磁制御装置で制御させ、電話電磁制御盤で携帯電話の発信釦或いは復帰釦の位置の電磁ソレノイドを駆動させ、発信釦を押す操作機構で発信釦を押して発信させ工事者の所持の携帯電話の着信音を鳴らすようにしたから、騒音の中で工事していても近傍の工事者の全員が工事を止め退避させる効果が有り、警務者が手旗を振り下げ動作で起動スイッチを切った手旗信号で警務者が所持の携帯電話の電話電磁制御盤と電話電磁制御装置で制御させ、電話電磁制御盤の復帰釦の位置の電磁ソレノイドを駆動させ、押す操作機構で復帰釦を押して復帰させ工事者の所持の携帯電話の着信音を消音させて工事場所に戻り工事を再開に即効なる効果が有る警務者の所持の携帯電話の電話電磁制御盤と電話電磁制御装置で手旗信号待ちの手旗信号による電話電磁制御装置とする。
【発明を実施するための最良の形態】
【０００６】
以下、本発明の実施の形態を図１〜図３に基づいて説明する。
【実施例】
【０００７】
図１、２で本発明を説明すると、１は携帯電話９に装着したコ字型形状の電話電磁制御盤である。コ字型形状の電話電磁制御盤１は鉤部１８を有するアンテナ切り欠き溝でアンテナをカバーして鉤部１８で挟むことで携帯電話９を電話電磁制御盤1が装着設ける。
携帯電話９を装着設けるようにしたコ字型形状の電話電磁制御盤1には携帯電話９の発信釦の位置に電磁ソレノイド８と、復帰釦の位置に電磁ソレノイド８を配設させ、それぞれ電磁ソレノイド８のロッドと連動係止したロッド操作リンク１３で操作軸１５を軸として釦操作リンク１４で押す操作自在にした押す操作機構２２で、発信釦を押す操作機構２２で押して発信し、復帰釦を押す操作機構２２で押して復帰させ、工事者の所持の携帯電話の着信音を鳴らし、或いは、着信音を消音させるようにしたものである。
電磁ソレノイド８は、警務者が手旗２を振り上げ動作で起動スイッチ６で電源が入る手旗信号で電話電磁制御装置１２を制御して、発信釦の位置の電磁ソレノイド８を駆動させロッド操作リンク１３で操作軸１５を軸として釦操作リンク１４で押す操作自在にした押す操作機構２２で発信釦を押して発信させ工事者の所持の携帯電話の着信音を鳴らし、警務者が手旗２の振り下げ動作で起動スイッチ６で電源が切れる手旗信号で電話電磁制御装置１２を制御して、復帰釦の位置の電磁ソレノイド８を駆動させロッド操作リンク１３で操作軸１５を軸として操作リンク１４で押す操作自在にした押す操作機構２２で復帰釦を押して復帰させ工事者の所持の携帯電話９の着信音を消音し、警務者の携帯電話９の電話電磁制御盤１と電話電磁制御装置１２が手旗信号待ちとしたものである。
但し、携帯電話で通称言う電話番号指定釦を発信釦とし、警務者が所持の携帯電話には予め携帯電話番号の指定番号を記録し、発信釦を押せば発信状態で工事者の所持の携帯電話の着信音を鳴らし、発信釦には登録した電話番号を常時呼び状態に戻るようにしてある。
携帯電話で通称言う電源切り釦を復帰釦とし、復帰釦が押されれば警務者の携帯電話は復帰して着信音を消音し、工事者の携帯電話は受信状態に戻り、又、工事者は携帯電話に出ることは無いものである。
図３について説明すると、３は手旗２のプラスック製の旗用パイプである。上方に旗を取着した旗用パイプ３内に下方から円筒で下方を円錐にした起動スイッチ６を挿入し、当該旗用パイプ３の下方から起動スイッチパイプ１１を挿入取付け、起動スイッチパイプ１１底面の孔に２枚の絶縁フェルト１０を介して端子ボルト１７を貫通ボルト止めし、底面で端子ボルト１７で＋端子４をボルト止めし＋端子４を接続線で引き出すようし、旗用パイプ内を上下動自在の起動スイッチ６の円筒で先端の円錐の背に接触した接点を起動スイッチパイプ１１の外側から端子ボルト２１で−端子５をボルト止め−端子５を接続線を引き出した端子ボルト２１と共にボルト止めして＋−端子４，５の接続線で手旗と警務者を接続線で接続し、手旗と警務者の所持の電話電磁制御盤の電池と接続線で接続し起動スイッチで電源の入り切りの手旗信号で電話電磁制御装置１２を制御して、電話電磁制御盤１の電磁ソレノイド８を駆動し、発信釦或いは復帰釦押す操作機構２２で押す操作をして発信釦で発信し或いは復帰釦で復帰させるようにしたものである。
起動スイッチパイプ１１に嵌挿したナット付リング１９を、上下方に分けた２段の調整孔２０で、上下方に貫通孔の調整孔２０に使い勝手に調整ビス１６を貫通させナットを介してビス止めし起動スイッチパイプ１１にナット付リング１９を取着したから鉄製の起動スイッチパイプ１１の肉厚を薄くする効果で、手旗を従来と変わらぬ軽量化が出来る。
使い勝手で、上方にナット付リング１９を取付けて、貫通した調整ビス１６により旗用パイプ内の起動スイッチ６は大きな隙間から上下動自在の状態にして警務開始でき、手旗を振り上げる動作で起動スイッチ６は警務者の持つ手旗の手元に落下移動し、＋−端子４、５の引き出した接続線を手旗と警務者を接続線で接続し、警務者が所持の電話電磁制御盤１の電池と接続して、電源の入り切りの手旗信号を発すようにしてあり、使い勝手で、下方の貫通孔の調整孔２０に、嵌挿したナット付リング１９を調整ビス１６を貫通させビス止めナット付リング１９を起動スイッチパイプ１１に取着し、貫通させた調整ビス１６で旗用パイプ３内で起動スイッチ６を停止固定し、警務者が持ち運びに便にしたものである。
警務者が勤務開始前においては下方の取着した調整ビス１６を取り外し、上方の貫通孔の調整孔２０に、嵌挿したナット付リング１９の、ナットに調整ビス１６を貫通させビス止めナット付リング１９を起動スイッチパイプ１１に取着し、図のように上方に貫通させた調整ビス１６を起動スイッチ６と離れて位置させたから起動スイッチ６は上下動自在にし、警務開始することが出来、警務勤務中において手旗２は下げた状態で起動スイッチ６は旗方に下がって手旗信号は切れている。車両接近することにより警務者が手旗２を振り上げる動作から、振り上げ動作で起動スイッチ６は、＋端子５へと移動して端子ボルト１７に円錐の先端が接触した接点で＋端子から接続線を引き出し、同時に先端の円錐の背に接触した接点で端子ボルト２１でボルト止めした−端子５から引き出し、＋−端子４，５から引き出した接続線により、手旗と警務者を接続線で接続し、手旗と警務者が所持の携帯電話の電話電磁制御盤の電池と接続線で接続し、起動スイッチで電源がは入り手旗信号を接続線で送出するようにしたから、手旗２には電池等を内臓しないから従来と変わらぬ軽量の手旗２とすることが出来、警務者が手旗２を振り上げ下げ動作で手旗２の起動スイッチ６で電源を入り切り操作するようにしてある。
【産業上の利用可能性】
【０００８】
警務者の手旗の振り上げ下げ動作の手旗信号で警務者の所持の電話電磁制御装置を制御し、電磁ソレノイドを駆動させ押す操作機構で発信釦或いは復帰釦を押し、発信し或いは復帰させ、鉄道工事中の工事者の所持の携帯電話の着信音を鳴らし或いは消音し近傍の全員の工事者に車両の接近、車両の通過を知ることが出来、警務者の携帯電話の電話電磁制御盤と電話電磁制御装置で手旗信号待ちの手旗信号による電話電磁制御装置としたから従来の騒音、工事に集中した結果の人身事故を防ぎ、工事者の身近で注意を喚起する手段で安全に鉄道工事が出来る利用する可能性大である。
【図面の簡単な説明】
【０００９】
【図１】本発明の電話電磁制御盤と電磁ソレノイドの釦操作リンクの操作説明図である。
【図２】本発明の電話電磁制御盤と電磁ソレノイド取付図の正面図である。
【図３】本発明の手旗の起動スイッチの移動状態と要部詳細説明図である。
【符号の説明】
【００１０】
１    電話電磁制御盤                    ２    手旗
３    旗用パイプ                        ４    ＋端子
５    −端子                            ６    起動スイッチ
７    電池                              ８    電磁ソレノイド
９    携帯電話                          １０  絶縁フェルト
１１  起動スイッチパイプ                １２  電話電磁制御装置
１３  ロッド操作リンク                  １４  釦操作リンク
１５  操作軸                            １６  調整ビス
１７  端子ボルト                        １８  鉤部
１９  ナット付リング                    ２０  調整孔
２１  端子ボルト                        ２２  操作機構
【図１】
2007088671.tif 000003
【図２】
2007088671.tif 000004
【図３】
2007088671.tif 000005